(57)【特許請求の範囲】
【請求項１】
基地局からの受信電波のページングチャネルをサーチすることによって自己を着信先とする着信があるか否かを監視する電話の待受処理と撮像手段が撮像した画像を処理する画像処理とを並行して、同一の制御手段で行うことが可能に構成され、
前記制御手段は、前記待受処理を行っているときに、撮像専用に切替えるためのキーが操作された場合、前記撮像手段が撮像動作を行っているときは待受処理を禁止することを特徴とする携帯端末。
【請求項２】
報知動作を行う報知手段を備え、
前記制御手段は、待受処理を禁止したときに、前記報知手段に報知動作を行わせることを特徴とする請求項１記載の携帯端末。
【請求項３】
前記制御手段は、待受処理の禁止を解除したときに、前記報知手段に他の報知動作を行わせることを特徴とする請求項２記載の携帯端末。
【請求項４】
基地局からの受信電波のページングチャネルをサーチすることによって自己を着信先とする着信があるか否かを監視する電話の待受処理と撮像手段が撮像した画像を処理する画像処理とを並行して、同一の制御手段で行うことが可能に構成された携帯端末の制御手段に、
前記待受処理を行っているときに、撮像専用に切替えるためのキーが操作された場合、前記撮像手段が撮像動作を行っているときは待受処理を禁止する手順を実行させることを特徴とするプログラム。
【請求項５】
前記報知動作とは、アンテナバーの表示を消去することを特徴とする請求項２記載の携帯端末。
【発明の詳細な説明】
【０００１】
【発明の属する技術分野】
本発明は、電話の待受処理と撮像手段が撮像した画像を処理する画像処理とを同一の制御手段で行うことが可能に構成された携帯端末および前記携帯端末にて実行されるプログラムに関する。
【０００２】
【発明が解決しようとする課題】
従来より、カメラを備えた携帯電話機が供されており、この種の携帯電話機によれば、カメラが撮像した画像を電子メールに添付して送信することができたり、カメラが撮像した画像を待受画面や着信画面として表示させたりすることができるなど、娯楽性を高めることができる。さて、この種の携帯電話機においては、低価格化を実現するために、１つのＣＰＵ（Central Processing Unit ）にて、電話の待受処理と、カメラが撮像した画像を処理する画像処理とを行う構成が考えられており、つまり、図７に示すように、待受処理を通信規格によって規定されている所定周期で間欠的に行うと共に、画像処理を当該待受処理が行われるタイミングを外して間欠的に行う構成が考えられている。
【０００３】
ところで、ＣＰＵが待受処理を行うに際しては、電波環境が比較的良好な状態では、ペ−ジングチャネルをサーチするのに要する時間が比較的短いことから、待受処理に要する時間は比較的短く、一方、電波環境が比較的劣悪な状態では、ペ−ジングチャネルをサーチするのに要する時間が比較的長いことから、待受処理に要する時間は比較的長い。そのため、上記したような１つのＣＰＵにて待受処理と画像処理とを行う構成では、カメラが撮像動作を行っているときに、電波環境が比較的劣悪な状態になると、待受処理に要する時間が比較的長くなり、画像処理を開始すべき時点で待受処理を完了していないという状況が発生する虞がある（図７中ｔ１，ｔ２参照）。
【０００４】
そして、仮に画像処理を開始すべき時点で待受処理を完了していないという状況が発生すると、ＣＰＵが画像処理と待受処理とを同時に行うことが不可能な構成では、待受処理を優先する場合には、画像処理を開始しないことになり、その分、撮像フレームが間引かれ、撮像フレーム数に悪影響が及ぼされ、撮像能力が低下するという問題がある。また、仮に、ＣＰＵが画像処理と待受処理とを同時に行うことが可能な構成であっても、ＣＰＵの処理能力が画像処理と待受処理とに分散されて費やされることから、画像処理に費やされるＣＰＵの処理能力が低下することになり、その分、撮像フレーム数に悪影響が及ぼされ、撮像能力が低下するという問題がある。
【０００５】
本発明は、上記した事情に鑑みてなされたものであり、その目的は、撮像手段が撮像した画像を良好に処理することができ、それによって、使い勝手を高めることができる携帯端末および前記携帯端末にて実行されるプログラムを提供することにある。
【０００６】
【課題を解決するための手段】
請求項１記載の携帯端末によれば、制御手段は、基地局からの受信電波のページングチャネルをサーチすることによって自己を着信先とする着信があるか否かを監視する電話の待受処理と撮像手段が撮像した画像を処理する画像処理とを行うことが可能であって、待受処理を行っているときに、撮像専用に切替えるためのキーが操作された場合、撮像手段が撮像動作を行っているときは待受処理を禁止するように構成したので、撮像手段が撮像した画像を処理するに際して、待受処理による悪影響が及ぼされることを未然に回避することができ、これによって、撮像手段が撮像した画像を良好に処理することができ、使い勝手を高めることができる。
【０００７】
請求項２記載の携帯端末によれば、制御手段は、待受処理を禁止すると、報知手段に報知動作を行わせるように構成したので、報知動作を行わせることによって、待受処理を禁止したことを、携帯端末を使用する人に報知することができる。これによって、携帯端末を使用する人は、報知動作が行われたことを認識することによって、待受処理が禁止されたことを認識することができ、着信が不可能な状態になったことを認識することができる。
【０００８】
請求項３記載の携帯端末によれば、制御手段は、待受処理を禁止しているときに、他の所定条件が成立すると、待受処理の禁止を解除するように構成したので、撮像手段が撮像した画像を良好に処理すると共に、自己を着信先とする着信があるか否かを検出することができ、着信を行うことができる。
【０００９】
請求項４記載の携帯端末によれば、制御手段は、待受処理の禁止を解除すると、報知手段に他の報知動作を行わせるように構成したので、他の報知動作を行わせることによって、待受処理の禁止を解除したことを、携帯端末を使用する人に報知することができる。これによって、携帯端末を使用する人は、他の報知動作が行われたことを認識することによって、待受処理の禁止が解除されたことを認識することができ、着信が不可能な状態から着信が可能な状態に復帰したことを認識することができる。
【００１０】
請求項５記載のプログラムによれば、当該プログラムを携帯端末にインストールして実行すると、上記した請求項１に記載したものと同様の作用効果を得ることができ、すなわち、撮像手段が撮像した画像を処理するに際して、待受処理による悪影響が及ぼされることを未然に回避することができ、これによって、撮像手段が撮像した画像を良好に処理することができ、使い勝手を高めることができる。
【００１３】
【発明の実施の形態】
以下、本発明を携帯電話機に適用した一実施例について、図１ないし図６を参照して説明する。
まず、図２は、携帯電話機の外観斜視図を示している。携帯電話機１にあって、本体２の表面部には、送話音声を入力するマイクロホン３、受話音声を出力するスピーカ４、ディスプレイ５（本発明でいう報知手段）、「通話開始」キー、「通話終了」キー、「リダイヤル」キー、「スクロール」キー、および「０」〜「９」の「数字」キーなどの多数のキーを配列してなるキーパッド６ならびに主として着信を報知するために点滅するＬＥＤ（Light Emitting Diode）７が配設されている。
【００１４】
また、本体２の裏面部には、主として着信を報知するための着信音（着信メロディを含む）を出力するサウンダ８、カメラ９（本発明でいう撮像手段）ならびにミラー１０が配設されている。さらに、本体２の上部には、アンテナ１１が配設されている。尚、カメラ９は、ＣＭＯＳ（Complementary Metal Oxide Semiconductor ）イメージセンサにより構成されている。
【００１５】
このような構成では、携帯電話機１を使用する人は、自分を撮像対象物に含めずに撮像する場合であれば、カメラ９を撮像対象物側に向けるようにして携帯電話機１を例えば手に持つと、カメラ９により撮像される画像がディスプレイ５に表示されることによって、カメラ９により撮像される画像を確認することができ、また、自分を撮像対象物に含めて撮像する場合であれば、カメラ９を自分側に向けるようにして携帯電話機１を例えば所定の場所にセットすると、カメラ９により撮像される画像がミラー１０に映されることによって、カメラ９により撮像される画像を確認することができる。
【００１６】
次に、図１は、上記した携帯電話機１および周辺の電気的な構成を機能ブロック図として示している。携帯電話機１において、マイクロコンピュータを主体としてなるＣＰＵ１２（本発明でいう制御手段）には、電話処理を行う電話回路１３、制御プログラム（本発明でいうプログラム）を記憶しているＲＯＭ（Read Only Memory）１４、上記したマイクロホン３、スピーカ４、ディスプレイ５、キーパッド６、ＬＥＤ７、サウンダ８、カメラ９が接続されている。
【００１７】
ＣＰＵ１２は、携帯電話機１に電源が投入されている状態では、電話の待受処理を通信規格によって規定されている所定周期で間欠的に行うと共に、キーパッド６にて撮像を行うためのキーが操作されたことを検出すると、カメラ９が撮像した画像を処理する画像処理を待受処理が行われるタイミングを外して間欠的に行うことが可能である。
【００１８】
この場合、ＣＰＵ１２は、電話の待受処理としては、基地局１５から電話回路１３が受信した受信電波のペ−ジングチャネルをサーチすることによって、自己を着信先とする着信があるか否かを監視しており、自己を着信先とする着信があることを検出すると、点滅開始指令をＬＥＤ７に出力し、ＬＥＤ７に緑色の発光による点滅を開始させると共に、出力開始指令をサウンダ１０に出力し、サウンダ１０から着信音の出力を開始させ、また、基地局１５から発信者電話番号が通知された場合であれば、表示開始指令をディスプレイ５に出力し、基地局１５から通知された発信者電話番号の表示を開始させる。
【００１９】
また、電話回路１３は、基地局１５から受信した受信電波の受信電界強度を示す受信電界強度表示（以下、ＲＳＳＩ（Received Signal Strength Indicator）と略称する）をＣＰＵ１２に出力し、ＣＰＵ１２は、電話回路１３からＲＳＳＩを入力すると、入力したＲＳＳＩを解析することによって、電波環境の状態を判定する。
【００２０】
次に、上記した構成の作用について、図３ないし図６も参照して説明する。
まず、ＣＰＵ１２は、図３（ａ）に示すような「モード選択」の表示画面をディスプレイ５に表示させている状態で、キーパッド６にて「カメラ専用モード」、「電波環境劣悪時カメラ専用モード」および「カメラ／電話併用モード」のいずれかのモードを選択して設定するためのキーが操作されたことを検出すると、キーの操作に基づいて「カメラ専用モード」、「電波環境劣悪時カメラ専用モード」および「カメラ／電話併用モード」のいずれかのモードを設定する。
【００２１】
さて、ＣＰＵ１２は、キーパッド６にて撮像を行うためのキーが操作されたことを検出すると、図４にフローチャートとして示す撮像処理に移行し、その時点で設定しているモードを判定する（ステップＳ１，Ｓ２）。そして、ＣＰＵ１２は、その時点で「カメラ専用モード」を設定していることを検出すると、ステップＳ１において「ＹＥＳ」と判定し、カメラ専用モードによる撮像処理に移行する（ステップＳ３）。また、ＣＰＵ１２は、その時点で「電波環境劣悪時カメラ専用モード」を設定していることを検出すると、ステップＳ１において「ＮＯ」と判定すると共に、ステップＳ２において「ＹＥＳ」と判定し、電波環境劣悪時カメラ専用モードによる撮像処理に移行する（ステップＳ４）。さらに、ＣＰＵ１２は、その時点で「カメラ／電話併用モード」を設定していることを検出すると、ステップＳ１において「ＮＯ」と判定すると共に、ステップＳ２において  「ＮＯ」と判定し、カメラ／電話併用モードによる撮像処理に移行する（ステップＳ５）。
【００２２】
以下、これらカメラ専用モードによる撮像処理、電波環境劣悪時カメラ専用モードによる撮像処理およびカメラ／電話併用モードによる撮像処理のうち、カメラ専用モードによる撮像処理および電波環境劣悪時カメラ専用モードによる撮像処理について順次説明する。
【００２３】
（１）カメラ専用モードによる撮像処理
まず、カメラ専用モードによる撮像処理について、図５に示すフローチャートを参照して説明する。ＣＰＵ１２は、カメラ専用モードによる撮像処理に移行すると、撮像指令をカメラ９に出力し、カメラ９に撮像動作を開始させる（ステップＳ１１）。そして、ＣＰＵ１２は、待受処理を禁止し（ステップＳ１２）、表示指令をディスプレイ５に出力し、図３（ｃ），（ｅ）に示すように、「カメラ」のピクセル（図３中、Ｒにて示す）をディスプレイ５に表示させる（ステップＳ１３、本発明でいう報知動作を行わせる）。
【００２４】
このとき、ＣＰＵ１２は、図３（ｂ）に示すように、電波環境の状態に基づいて「アンテナバー」のピクセル（図３中、Ｐにて示す）を表示させていれば、図３（ｃ）に示すように、「アンテナバー」のピクセルを消去させ、「カメラ」のピクセルを表示させると共に、「圏外」のピクセル（図３中、Ｑにて示す）をも表示させ、一方、図３（ｄ）に示すように、電波環境の状態に基づいて「圏外」のピクセルを表示させていれば、図３（ｅ）に示すように、「カメラ」のピクセルを表示させると共に、「圏外」のピクセルを継続して表示させる。
【００２５】
次いで、ＣＰＵ１２は、キーパッド６にて撮像を停止するためのキーが操作されたか否かを監視し（ステップＳ１４）、キーパッド６にて撮像を停止するためのキーが操作されたことを検出すると、ステップＳ１４において「ＹＥＳ」と判定し、撮像停止指令をカメラ９に出力し、カメラ９に撮像動作を停止させる（ステップＳ１５）。そして、ＣＰＵ１２は、待受処理の禁止を解除し（ステップＳ１６）、消去指令をディスプレイ５に出力し、「カメラ」のピクセルを消去させ（ステップＳ１７、本発明でいう他の報知動作を行わせる）、電波環境の状態に基づいて「アンテナバー」のピクセル或いは「圏外」のピクセルのいずれかを表示させる。
【００２６】
このような制御によって、携帯電話機１を使用する人は、あらかじめ「カメラ専用モード」を設定しておくことによって、撮像を行うに際しては、携帯電話機１にて待受処理を禁止した上で、撮像を行うことができる。また、このとき、「カメラ」のピクセルがディスプレイ５に表示されることによって、携帯電話機１にて待受処理が禁止され、着信が不可能な状態になったことを認識することをもできる。
【００２７】
（２）電波環境劣悪時カメラ専用モードによる撮像処理
次に、電波環境劣悪時カメラ専用モードによる撮像処理について、図６に示すフローチャートを参照して説明する。ＣＰＵ１２は、電波環境劣悪時カメラ専用モードによる撮像処理に移行すると、撮像指令をカメラ９に出力し、カメラ９に撮像動作を開始させる（ステップＳ２１）。次いで、ＣＰＵ１２は、電話回路１３から入力したＲＳＳＩに基づいて電波環境の状態を判定すると共に（ステップＳ２２）、キーパッド６にて撮像を停止するためのキーが操作されたか否かを監視する（ステップＳ２３）。
【００２８】
ここで、ＣＰＵ１２は、ＲＳＳＩによって示される受信電界強度が、あらかじめ閾値として設定している基準電界強度未満であって、電波環境が比較的劣悪な状態であることを検出すると（本発明でいう所定条件が成立すると）、ステップＳ２２において「ＮＯ」と判定し、点滅開始指令をＬＥＤ７に出力し、ＬＥＤ７に緑色の発光による点滅ではなく、赤色の発光による点滅を開始させる（ステップＳ２４）。尚、この場合、ＣＰＵ１２は、キーパッド６にて撮像を停止するためのキーが操作されたことを検出すると、ステップＳ２３において「ＹＥＳ」と判定し、撮像停止指令をカメラ９に出力し、カメラ９に撮像動作を停止させ（ステップＳ２５）、電波環境劣悪時カメラ専用モードによる撮像処理を終了する。
【００２９】
さて、ＣＰＵ１２は、ＬＥＤ７に赤色の発光による点滅を開始させたのち、カメラ専用に切替えるためのキーが操作されたか否かを監視する（ステップＳ２６）。そして、ＣＰＵ１２は、カメラ専用に切替えるためのキーが操作されたことを検出すると、ステップＳ２６において「ＹＥＳ」と判定し、点滅停止指令をＬＥＤ７に出力し、ＬＥＤ７に赤色の発光による点滅を停止させ（ステップＳ２７）、待受処理を禁止し（ステップＳ２８）、表示指令をディスプレイ５に出力し、  「カメラ」のピクセルをディスプレイ５に表示させる（ステップＳ２９、本発明でいう報知動作を行わせる）。
【００３０】
このときも、ＣＰＵ１２は、図３（ｂ）〜（ｅ）に示したように、電波環境の状態に基づいて「アンテナバー」のピクセルを表示させていれば、「アンテナバー」のピクセルを消去させ、「カメラ」のピクセルを表示させると共に、「圏外」のピクセルをも表示させ、一方、電波環境の状態に基づいて「圏外」のピクセルを表示させていれば、「カメラ」のピクセルを表示させると共に、「圏外」のピクセルを継続して表示させる。
【００３１】
また、ＣＰＵ１２は、カメラ専用に切替えるためのキーが例えば一定時間にわたって操作されないことを検出すると、ステップＳ２６において「ＮＯ」と判定し、消去指令を点滅停止指令をＬＥＤ７に出力し、ＬＥＤ７に赤色の発光による点滅を停止させ（ステップＳ３０）、上記したステップＳ２２，Ｓ２３に戻る。
【００３２】
次いで、ＣＰＵ１２は、「カメラ」のピクセルを表示させたのち、電話回路１３から入力したＲＳＳＩに基づいて電波環境の状態を再度判定すると共に（ステップＳ３１）、キーパッド６にて撮像を停止するためのキーが操作されたか否かを再度監視する（ステップＳ３２）。
【００３３】
ここで、ＣＰＵ１２は、ＲＳＳＩによって示される受信電界強度が基準電界強度以上であって、電波環境が比較的劣悪な状態から比較的良好な状態に復帰したことを検出すると（本発明でいう他の所定条件が成立すると）、ステップＳ３１において「ＹＥＳ」と判定し、待受処理の禁止を解除し（ステップＳ３３）、消去指令をディスプレイ５に出力し、「カメラ」のピクセルを消去させ（ステップＳ３４、本発明でいう他の報知動作を行わせる）、電波環境の状態に基づいて  「アンテナバー」のピクセル或いは「圏外」のピクセルのいずれかを表示させる。
【００３４】
尚、この場合、ＣＰＵ１２は、キーパッド６にて撮像を停止するためのキーが操作されたことを検出すると、ステップＳ３２において「ＹＥＳ」と判定し、ここでは、待受処理の禁止を解除し（ステップＳ３５）、消去指令をディスプレイ５に出力し、「カメラ」のピクセルを消去させ（ステップＳ３６）、電波環境の状態に基づいて「アンテナバー」のピクセル或いは「圏外」のピクセルのいずれかを表示させ、撮像停止指令をカメラ９に出力し、カメラ９に撮像動作を停止させ（ステップＳ３７）、電波環境劣悪時カメラ専用モードによる撮像処理を終了する。
【００３５】
このような制御によって、携帯電話機１を使用する人は、あらかじめ「電波環境劣悪時カメラ専用モード」を設定しておくことによって、電波環境が比較的劣悪な状態になると、ＬＥＤ７が点滅を開始することによって、その旨を認識することができ、次いで、カメラ専用に切替えるキーを操作することによって、携帯電話機１にて待受処理を禁止した上で、撮像を行うことができる。また、このときも、「カメラ」のピクセルがディスプレイ５に表示されることによって、携帯電話機１にて待受処理が禁止され、着信が不可能な状態になったことを認識することをもでき、さらに、これ以降、「カメラ」のピクセルが消去されることによって、電波環境が比較的劣悪な状態から比較的良好な状態に復帰し、携帯電話機１にて待受処理の禁止が解除され、着信が不可能な状態から着信が可能な状態に復帰したことをも認識することができる。
【００３６】
尚、以上は、携帯電話機１を使用する人が自分を撮像対象物に含めずに撮像する場合、つまり、カメラ９を撮像対象物側に向けるようにして撮像する場合を想定しているものであって、このような場合には、必然的にディスプレイ５が携帯電話機１を使用する人側となるので、「カメラ」のピクセルがディスプレイ５に表示されることによって、携帯電話機１を使用する人は、「カメラ専用モード」を設定していることや、「電波環境劣悪時カメラ専用モード」を設定しているときに、カメラ専用に切替えるキーを操作することによって、携帯電話機１にて待受処理が禁止されたことを認識することができる。
【００３７】
以上に説明したように本実施例によれば、携帯電話機１において、「カメラ専用モード」を設定している状態では、カメラ９が撮像動作を行っているときに、待受処理を禁止するように構成したので、カメラ９が撮像した画像を処理するに際して、待受処理による悪影響が及ぼされることを未然に回避することができ、これによって、カメラ９が撮像した画像を良好に処理することができ、使い勝手を高めることができる。
【００３８】
一方、「電波環境劣悪時カメラ専用モード」を設定している状態では、カメラ９が撮像動作を行っているときに、電波環境が比較的劣悪な状態になると、ＬＥＤ７が点滅を開始し、カメラ専用に切替えるキーが操作されると、待受処理を禁止するように構成したので、この場合も、カメラ９が撮像した画像を処理するに際して、待受処理による悪影響が及ぼされることを未然に回避することができ、カメラ９が撮像した画像を良好に処理することができる。また、電波環境が比較的劣悪な状態から比較的良好な状態に復帰すると、待受処理の禁止を自動的に解除するように構成したので、カメラ９が撮像した画像を良好に処理すると共に、自己を着信先とする着信があるか否かを検出することができ、着信を行うことができる。
【００３９】
また、待受処理を禁止すると、「カメラ」のピクセルをディスプレイ５に表示するように構成したので、携帯電話機１を使用する人は、「カメラ」のピクセルの表示を認識することによって、携帯電話機１にて待受処理が禁止され、着信が不可能な状態になったことを認識することができ、また、待受処理の禁止を解除すると、「カメラ」のピクセルを消去するように構成したので、携帯電話機１を使用する人は、「カメラ」のピクセルの消去を認識することによって、携帯電話機１にて待受処理の禁止が解除され、着信が不可能な状態から着信が可能な状態に復帰したことをも認識することができる。
【００４０】
さらに、この場合、「圏外」のピクセルのみがディスプレイ５に表示されるのではなく、「カメラ」のピクセルもディスプレイ５に表示されるように構成したので、携帯電話機１を使用する人は、例えば電波を受信不可能であったり、電波環境が極めて劣悪であることによる通常の圏外とは区別した上で、待受処理が禁止され、着信が不可能な状態になったことを的確に認識することができる。
【００４１】
本発明は、上記した実施例にのみ限定されるものでなく、次のように変形または拡張することができる。
携帯端末は、携帯電話機に限らず、携帯情報端末であっても良く、また、カメラが本体にあってディスプレイやキーパッドが配設された面とは反対側の面に配設される構成に限らず、カメラが本体にあってディスプレイやキーパッドが配設された面と同じ側の面に配設される構成であっても良い。さらに、カメラが本体に一体に設けられた構成に限らず、携帯電話機にカメラとの間のインタフェース機能を持たせることによって、カメラが本体に対して着脱可能な構成であっても良い。
【００４２】
「電波環境劣悪時カメラ専用モード」を設定している場合、待受処理に係る電波環境が比較的劣悪な状態になったときに、カメラ専用に切替えるキーが操作されることなく、待受処理を自動的に禁止する構成であっても良い。また、待受処理に係る電波環境が比較的劣悪な状態から比較的良好な状態に復帰したときに、ＬＥＤが緑色や赤色とは異なる他の色の発光による点滅を開始することによって、その旨を携帯電話機を使用する人に報知し、カメラ／電話併用に切替えるキーが操作されたことを条件として、待受処理の禁止を解除する構成であっても良い。
【００４３】
報知動作としては、ディスプレイが「カメラ」のピクセルを表示する動作に限らず、ＬＥＤが点滅或いは点灯する動作や、ディスプレイが所定の表示メッセージを表示する動作や、サウンダが所定の音や所定の音声メッセージを出力する動作であっても良く、また、それらが選択的に動作する構成であっても良い。また、本体にあってカメラと同じ面に他のＬＥＤを配設し、「カメラ専用モード」を設定しているときや、「電波環境劣悪時カメラ専用モード」を設定しているときに、カメラ専用に切替えるキーを操作することによって、携帯電話機１にて待受処理が禁止されたときに、他のＬＥＤが点滅する構成であっても良く、そのように構成すれば、携帯電話機を使用する人が自分を撮像対象物に含めて撮像する場合、つまり、カメラを自分側に向けるようにして撮像する場合であっても、他のＬＥＤが点滅することによって、携帯電話機を使用する人は、「カメラ専用モード」を設定していることや、「電波環境劣悪時カメラ専用モード」を設定しているときに、カメラ専用に切替えるキーを操作することによって、携帯電話機１にて待受処理が禁止されたことを認識することができる。
【００４４】
電波環境が比較的劣悪な状態が継続している時間に基づいて報知動作を連続的或いは段階的に変化させる構成であっても良く、例えば電波環境が比較的劣悪な状態が所定時間を越えて継続したような場合には、「カメラ」のピクセルが変化することによって、その旨を携帯電話機を使用する人に報知することが可能となる構成であっても良い。
【００４５】
上記した制御プログラムは、製品を出荷する段階でＲＯＭに記憶される構成に限らず、例えば所定のキーを操作することによって、通信網から携帯電話機に配信され、インストールされる構成であっても良い。
【図面の簡単な説明】
【図１】本発明の一実施例を示す機能ブロック図
【図２】外観斜視図
【図３】表示の一例を示す図
【図４】フローチャート
【図５】図４相当図
【図６】図４相当図
【図７】待受処理および画像処理の時系列的な関係を示す図
【符号の説明】
図面中、１は携帯電話機（携帯端末）、５はディスプレイ（報知手段）、９はカメラ（撮像手段）、１２はＣＰＵ（制御手段）である。
【図１】
0003644388.tif 000002
【図２】
0003644388.tif 000003
【図３】
0003644388.tif 000004
【図４】
0003644388.tif 000005
【図５】
0003644388.tif 000006
【図６】
0003644388.tif 000007
【図７】
0003644388.tif 000008